(57)【要約】【課題】カソードへのアルカリ溶液の浸透性を向上させて、発電性能を向上することができる燃料電池を提供する。【解決手段】燃料液を収容する容器１１と、容器１１内に配置されたアノード１３と、容器１１内に配置され、一部が容器１１の外部に連通されたカソード１４と、容器１１内をアノード１３が配置されたアノード領域Ａとカソード１４が配置されたカソード領域Ｂとに区画する陰イオン交換膜１５とを備え、カソード１４と陰イオン交換膜１５との間に、カソード１４の表面に沿う方向において中心に向かって延在する流路が形成された燃料電池２を採用する。【選択図】図２
2013105577.tif 000002
【特許請求の範囲】
【請求項１】
燃料液を収容する容器と、
前記容器内に配置されたアノードと、
前記容器内に配置され、一部が前記容器の外部に連通されたカソードと、
前記容器内を前記カソードが配置されたカソード領域と前記アノードが配置されたアノード領域とに区画する陰イオン交換膜とを備え、
前記カソードと前記陰イオン交換膜との間に、前記カソードの表面に沿う方向において中心に向かって延在する流路が形成された燃料電池。
【請求項２】
前記カソードと前記陰イオン交換膜の間に配置され、前記カソードとの当接面に前記流路が形成された流路部材を備える請求項１に記載の燃料電池。
【請求項３】
前記流路部材が、多孔質材料で形成されている請求項２に記載の燃料電池。
【請求項４】
前記カソードが、前記陰イオン交換膜との当接面に前記流路が形成されている請求項１に記載の燃料電池。
【請求項５】
前記流路と連通し、電解質溶液を貯留する貯留槽を備える請求項１から４のいずれかに記載の燃料電池。
【請求項６】
糖溶液を燃料とするアノードと、
空気中の酸素を燃料とするカソードと、
前記アノードと前記カソードとの間に配置された陰イオン交換膜とを備え、
前記カソードと前記陰イオン交換膜との間に、前記カソードの表面に沿う方向において中心に向かって延在する流路が形成された膜電極接合体。
【発明の詳細な説明】
【技術分野】
【０００１】
本発明は、例えばグルコース等を燃料として発電を行う燃料電池および膜電極接合体に関するものである。
【背景技術】
【０００２】
従来、カソードとアノードとの間にアニオン交換膜を接合し、糖とアルカリ溶液の混合溶液を燃料とした糖空気燃料電池が開示されている（例えば、特許文献１参照）。
上記の糖空気燃料電池は、例えば段落番号［００１８］、［００３３］に記述されているように、アニオン交換膜の両側に電極を接合した構成であり、より具体的には段落番号［００４５］に記述のように、ホットプレスによって膜−電極接合体を形成している。
【先行技術文献】
【特許文献】
【０００３】
【特許文献１】特開２００９−９３９４８号公報
【発明の概要】
【発明が解決しようとする課題】
【０００４】
特許文献１に開示されている燃料電池では、アニオン交換膜のアノード側には糖溶液を供給し、アニオン交換膜のカソード側には空気を供給している。段落番号［００２０］には、カソードをアルカリ性雰囲気にすることで酸素還元反応の過電圧を低減できると記述されているが、このアルカリ性はアノード側のアルカリ性に依存している。
【０００５】
アノード側の糖溶液にアルカリ性物質を混合しない構成においては、カソード側にアルカリ溶液を供給する必要が生じ、カソード側を液相雰囲気にすることが必要になる。
ところが、そのような液相雰囲気のカソードをアニオン交換膜に接合すると、接合領域の周縁においては反応に必要な三相界面を得られるものの、接合領域の中央部においてはアニオン交換膜とカソードとの間にアルカリ溶液が到達し難いため、三相界面を得難いという不都合がある。
【０００６】
特にカソードとして、酸化マンガン粉末と炭素粉末をＰＴＦＥ結着剤によって練り固めた構成を用いる場合などでは、カソードを多孔質材料で形成してもアルカリ溶液の浸透性が悪く、上記の不都合が顕著に現れる。
【０００７】
本発明は、上記事情に鑑みてなされたもので、カソードへのアルカリ溶液の浸透性を向上させて、発電性能を向上することができる燃料電池および膜電極接合体を提供することを目的とする。
【課題を解決するための手段】
【０００８】
上記目的を達成するために、本発明は以下の手段を採用する。
本発明の第１の態様は、燃料液を収容する容器と、前記容器内に配置されたアノードと、前記容器内に配置され、一部が前記容器の外部に連通されたカソードと、前記容器内を前記カソードが配置されたカソード領域と前記アノードが配置されたアノード領域とに区画する陰イオン交換膜とを備え、前記カソードと前記陰イオン交換膜との間に、前記カソードの表面に沿う方向において中心に向かって延在する流路が形成された燃料電池である。
【０００９】
本発明の第１の態様によれば、容器内の燃料液（例えばグルコース溶液）は、アノードにおいて電子を放出するともに、水素イオンを生成する（酸化）。アノードに放出された電子は、アノードとカソードとを電気的に接続する導線を通って、カソードに送られる。一方、カソードでは、カソードの一部が容器の外部に連通されているため、容器の外部から酸素が供給される。そして、カソード表面において、容器の外部から供給された酸素と、アノードから導線を通って送られてきた電子と、容器内の水とが反応して、水酸化物イオンが生成される（還元）。
【００１０】
このように生成された水酸化物イオンは、陰イオン交換膜を透過してアノード領域へ移動する。そして、アノード領域では、カソード領域から移動してきた水酸化物イオンと、アノードにおいて燃料液の酸化で発生した水素イオンとが反応して水が生成される。上記のように、アノードにおいて酸化が行われるともに、カソードにおいて還元が行われることで発電が行われる。
【００１１】
ここで、カソード領域にアルカリ性の電解質溶液を収容することで、カソード領域における還元反応を促進するとともに、発電開始時における、カソード領域から電解質膜を透過してアノード領域に移動する水酸化物イオンの量を増加させることができ、燃料電池の起動速度を速めることができる。
【００１２】
この場合において、本発明の第１の態様に係る燃料電池は、カソードと陰イオン交換膜との間に、カソードの表面に沿う方向において中心に向かって延在する流路が形成されている。このような構成を有することで、カソード領域に収容されたアルカリ性の電解質溶液を、流路を介してカソードの表面の中心付近まで浸透させることができる。これにより、カソードの中心付近までアルカリ性環境として発電を促進することができ、燃料電池の発電性能を向上することができる。
【００１３】
上記態様において、前記カソードと前記陰イオン交換膜の間に配置され、前記カソードとの当接面に前記流路が形成された流路部材を備えることとしてもよい。
このように構成することで、カソードと陰イオン交換膜の間に、アルカリ性の電解質溶液が流通する流路を容易に形成することができる。
【００１４】
上記態様において、前記流路部材が、多孔質材料で形成されていることとしてもよい。
このように構成することで、カソード領域に収容されたアルカリ性の電解質溶液を、流路だけでなく、流路部材に形成された多数の孔により流通させることができる。これにより、アルカリ性の電解質溶液の浸透性を向上することができ、燃料電池の発電性能を向上することができる。
【００１５】
上記態様において、前記カソードが、前記陰イオン交換膜との当接面に前記流路が形成されていることとしてもよい。
このように構成することで、カソードと陰イオン交換膜の間に、アルカリ性の電解質溶液が流通する流路を容易に形成することができる。また、前述の流路部材を不要とすることができ、燃料電池を構成するための部品点数を少なくしてコストの低減を図ることができる。
【００１６】
上記態様において、前記流路と連通し、電解質溶液を貯留する貯留槽を備えることとしてもよい。
このように構成することで、貯留槽にアルカリ性の電解質溶液を収容することができ、カソードと陰イオン交換膜との間に形成された流路に、安定的にアルカリ性の電解質溶液を流入させることができる。これにより、カソードを安定したアルカリ性環境として発電を促進することができ、燃料電池の発電性能を向上することができる。
【００１７】
本発明の第２の態様は、糖溶液を燃料とするアノードと、空気中の酸素を燃料とするカソードと、前記アノードと前記カソードとの間に配置された陰イオン交換膜とを備え、前記カソードと前記陰イオン交換膜との間に、前記カソードの表面に沿う方向において中心に向かって延在する流路が形成された膜電極接合体である。
このような膜電極接合体を燃料電池に適用することで、前述の第１の態様と同様の効果を得ることができる。
【発明の効果】
【００１８】
本発明によれば、カソードへのアルカリ溶液の浸透性を向上させて、発電性能を向上することができるという効果を奏する。
【図面の簡単な説明】
【００１９】
【図１】本発明の第１の実施形態に係る膜電極接合体の概略構成図である。
【図２】本発明の第２の実施形態に係る燃料電池の概略構成図である。
【図３】本発明の第３の実施形態に係る燃料電池の概略構成図である。
【図４】本発明の第４の実施形態に係る燃料電池の流路部材の正面方向からの斜視図である。
【図５】図４の流路部材の背面方向からの斜視図である。
【図６】図４の流路部材の正面図である。
【図７】図４の流路部材の背面図である。
【図８】図７の流路部材のＡ−Ａ断面図である。
【図９】図７の流路部材のＢ−Ｂ断面図である。
【図１０】本発明の変形例に係る燃料電池の流路部材の正面方向からの斜視図である。
【図１１】図１０の流路部材の背面方向からの斜視図である。
【図１２】図１０の流路部材の正面図である。
【図１３】図１０の流路部材の背面図である。
【図１４】図１３の流路部材のＣ−Ｃ断面図である。
【図１５】図１３の流路部材のＤ−Ｄ断面図である。
【発明を実施するための形態】
【００２０】
［第１の実施形態］
以下、本発明の第１の実施形態に係る膜電極接合体１について図１を参照して説明する。
まず、前提条件として、本実施形態に係る膜電極接合体が用いられる糖−空気燃料電池は、アノードでの糖酸化反応とカソードでの酸素還元反応に伴って、両電極間において外部回路を通って電子が移動するとともに、カソードからアノードへ水酸化物イオン（ＯＨ−）である陰イオン（アニオン）が移動するアニオン移動型の構成となっている。
【００２１】
アノードでは、燃料である糖類が酸化されて電子を放出する。放出された電子は、外部回路を通って仕事（発電）を行い、カソードに運ばれる。一方、カソードでは、大気中の酸素（と水）が運ばれてきた電子とともに還元され、水酸化物イオン（ＯＨ−）が発生する。このように発生した水酸化物イオン（ＯＨ−）は、陰イオン交換膜を透過してアノード（燃料）側へ移動する。アノード側では、移動してきた水酸化物イオン（ＯＨ−）と、糖類の酸化で発生した水素イオン（Ｈ＋）とが反応して水（Ｈ２Ｏ）となる。
【００２２】
上述のように、糖−空気燃料電池は、燃料電池として外部回路に電子を流すために、カソード側からアノード側にアニオンである水酸化物イオン（ＯＨ−）が移動することで発電回路が形成されている。以下、このような糖−空気燃料電池に適用される本実施形態に係る膜電極接合体の構成について説明する。
【００２３】
図１は本発明の第１の実施形態に係る膜電極接合体１の概略構成図である。
本実施形態に係る膜電極接合体１は、図１に示すように、糖溶液を燃料とするアノード１３と、空気中の酸素を燃料とするカソード１４と、アノード１３とカソード１４との間に配置された陰イオン交換膜１５と、カソード１４と陰イオン交換膜１５との間に配置された流路部材２０と、カソード１４の流路部材２０とは反対側の面に設けられた通気防水シート１６とを備えている。
【００２４】
アノード１３は、例えば炭素繊維板等の多孔質材料に金微粒子を触媒として担持した電極であり、裏面から表面に至る良好な浸透性を有している。アノード１３では、後述するように、グルコースの酸化反応が行われる。なお、アノード１３は、白金や銅等の粒子を固定化して構成することとしてもよい。
【００２５】
カソード１４は、例えば炭素粉末や酸化マンガン粉末を、ＰＴＦＥ粉末を結着材として混練した触媒をステンレス金網に固着して形成された電極である。このような構成を有するカソード１４は、裏面から表面に溶液が浸透することは可能ではあるが良好ではなく、カソード周縁とカソード中央を連絡する流路２１は得られない。
【００２６】
通気防水シート１６は、通気性および防水性を有しており、例えばポリテトラフルオロエチレン（４フッ化エチレン）等のフッ化炭素樹脂で形成されている。通気防水シート１６は、カソード１４の陰イオン交換膜１５との接合面とは反対側の面に貼られており、カソード１４に空気を供給する一方、カソード領域内の溶液が外部に漏出することを防止するようになっている。
【００２７】
カソード１４は、上記構成を有することで、カソード１４では、通気防水シート１６を介して容器１１の外部から酸素を取り込み、アノード１３とカソード１４とを接続する導線（図示略）を通って送られてきた電子と容器１１内の水とを反応させて、水酸化物イオンを生成するようになっている。
【００２８】
陰イオン交換膜１５は、アノード１３とカソード１４との間に配置されており、第２の実施形態において後述するように、本実施形態に係る膜電極接合体１を燃料電池に組み込んだ場合に、燃料液を貯留する容器１１内を、カソード１４が配置されたカソード領域と、アノード１３が配置されたアノード領域とに区画するように配置される（図２参照）。
【００２９】
ここで、陰イオン交換膜とは、膜内に陰イオン交換基を有し、陰イオンを移動・伝達させることができる高分子の膜である。陰イオン交換基を有する素材としては、アンモニウム基、ピリジニウム基、イミダゾリウム基、ホスホニウム基、スルホニウム基があり、これらのいずれかを基材として構成する高分子化合物で構成されている。このような構成を有することで、陰イオン交換膜１５は、カソード領域内で生成された水酸化物イオン、あるいはカソード領域に蓄えたアルカリ溶液内の水酸化物イオンを、アノード領域へ透過させるようになっている。
【００３０】
陰イオン交換膜１５には、流路部材２０の一方の面がホットプレスによって接合されている。また、流路部材２０の他方の面にはカソード１４が接合されている。
流路部材２０は、電気化学的に不活性でアルカリに侵され難い、例えばＰＴＦＥ、ＰＥＥＫ、ＡＢＳ、ＰＰ、ＰＥなどの樹脂で形成されている。
【００３１】
流路部材２０は、カソード１４と陰イオン交換膜１５の間に配置され、カソード１４との当接面に流路２１が形成されている。
流路２１は、カソード１４の表面に沿う方向において中心に向かって延在するように形成されている。流路２１は、流路部材２０の周縁と中央を連通する溝であり、後述するように、カソード領域に貯留されたアルカリ性の電解質溶液を流通させるようになっている。
【００３２】
また、流路２１は、陰イオン交換膜１５に向かう方向（カソード１４の表面に交差する方向）にも形成されており、後述するように、カソード領域に貯留されたアルカリ性の電解質溶液を陰イオン交換膜１５に供給するようになっている。
【００３３】
上記構成を有する本実施形態に係る膜電極接合体１を燃料電池に組み込んだ場合の作用について以下に説明する。
本実施形態に係る膜電極接合体１によれば、アノード領域内の燃料液（例えばグルコース溶液）は、アノード１３において電子を放出するともに、水素イオンを生成する（酸化）。アノード１３に放出された電子は、アノード１３とカソード１４とを電気的に接続する導線（図示略）を通って、カソード１４に送られる。一方、カソード１４では、通気防水シート１６を介して外部から酸素が供給される。そして、カソード１４表面において、外部から供給された酸素と、アノード１３から導線を通って送られてきた電子と、カソード領域内の水とが反応して、水酸化物イオンが生成される（還元）。
【００３４】
このように生成された水酸化物イオンは、陰イオン交換膜１５を透過してアノード領域へ移動する。そして、アノード領域では、カソード領域から移動してきた水酸化物イオンと、アノード１３において燃料液の酸化で発生した水素イオンとが反応して水が生成される。上記のように、アノード１３において酸化が行われるともに、カソード１４において還元が行われることで発電が行われる。
【００３５】
ここで、カソード領域にアルカリ性の電解質溶液を収容することで、カソード領域における還元反応を促進するとともに、発電開始時における、カソード領域から電解質膜を透過してアノード領域に移動する水酸化物イオンの量を増加させることができ、燃料電池の起動速度を速めることができる。
【００３６】
この場合において、本実施形態に係る膜電極接合体１は、カソード１４と陰イオン交換膜１５との間に、カソード１４の表面に沿う方向において中心に向かって延在する流路２１が形成されている。このような構成を有することで、カソード領域に収容されたアルカリ性の電解質溶液を、流路２１を介してカソード１４の表面の中心付近まで浸透させることができる。これにより、カソード１４の中心付近までアルカリ性環境として発電を促進することができ、燃料電池の発電性能を向上することができる。
また、本実施形態に係る膜電極接合体１は、ユニットとして取り扱えることから、燃料電池の組立性が向上し、コスト減に寄与することができる。
【００３７】
なお、本実施形態では、具体的な流路部材２０として、表面に溝を彫られた樹脂を適用したが、多孔質材料を適用しても良い。具体的な多孔質材料しては、スポンジや、和紙などの紙などが好適である。
【００３８】
［第２の実施形態］
次に、本発明の第２の実施形態に係る燃料電池２について図２を参照して説明する。以降では、前述の実施形態と共通する点については同一の符号を付して説明を省略し、異なる点について主に説明する。
【００３９】
本実施形態に係る燃料電池２は、図２に示すように、前述の第１の実施形態に係る膜電極接合体１を組み込んだ燃料電池である。
本実施形態に係る燃料電池２は、図２に示すように、燃料液を収容する容器１１と、容器１１内に配置された第１の実施形態に係る膜電極接合体１とを主な構成要素として備えている。
【００４０】
容器１１は、例えば樹脂等の電気絶縁性を有する材料で構成された密閉容器である。容器１１は、アノード側筐体１１ａとカソード側筐体１１ｂの２部品で構成されており、これら筐体は、締結部材３４によって、アノード１３とカソード１４とを挟持する方向の力で締結されている。
【００４１】
アノード側筐体１１ａとカソード側筐体１１ｂとの間には、陰イオン交換膜１５が配置されており、容器１１内をアノード１３が配置されたアノード領域Ａとカソード１４が配置されたカソード領域Ｂとに区画するようになっている。
【００４２】
アノード側筐体１１ａと陰イオン交換膜１５との間には、例えばＯリング等のパッキン３７が設けられ、アノード領域Ａとカソード領域Ｂとが水密状態で区画されている。
また、カソード側筐体１１ｂと通気防水シート１６（カソード１４）との間には、例えばＯリング等のパッキン３８が設けられ、カソード領域Ｂを密閉するようになっている。
【００４３】
アノード側筐体１１ａと陰イオン交換膜１５とにより密閉されて形成されたアノード領域Ａには、例えばグルコース等の糖を食塩水に溶解させた燃料液が収容されるようになっている。
【００４４】
カソード側筐体１１ｂと陰イオン交換膜１５とにより密閉されて形成されたカソード領域Ｂ（リング状水槽２５）には、例えば水酸化ナトリウム水溶液等のアルカリ性の電解質溶液が収容されるようになっている。
【００４５】
リング状水槽（貯留槽）２５は、カソード側筐体１１ｂにおいて、カソード１４周縁を取り囲むように設けられた円環状の空間であり、リング状水槽２５内の溶液が流路部材２０の流路２１端部に流入するように構成されている。なお、図２において、符号Ｆは、リング状水槽２５に貯留されたアルカリ性の電解質溶液の流れを示している。
【００４６】
カソード液注入口３６、カソード液排出口３７は各々、リング状水槽２５の上部と下部に設けられた開口であり、各々ゴム栓３５で開閉可能となっている。
アノード液注入口３２、アノード液排出口３３は各々、アノード領域Ａの上部と下部に設けられた開口であり、各々、ゴム栓３１で開閉可能となっている。
【００４７】
また、アノード１３には、容器１１の外部まで延びる導線１８が電気的に接続されており、導線１８の他端には、例えば電球等の外部機器Ｃがスイッチを介して接続されている。
カソード１４には、導線１９が電気的に接続されており、導線１９の他端には、外部機器Ｃが接続されている。
【００４８】
上記構成を有する本実施形態に係る燃料電池２の作用について以下に説明する。
ます、アノード領域Ａに供給する燃料液として、グルコースと食塩の水溶液を、アノード液注入口３２から注入する。注入された燃料液は多孔質であるアノード１３に浸透する。
【００４９】
次に、カソード領域Ｂに供給するアルカリ性の電解質溶液として、水酸化ナトリウム水溶液を、カソード液注入口３６から注入する。注入された水酸化ナトリウム水溶液は、リング状水槽２５に貯留され、同時に流路部材２０の流路２１に流入し、カソード１４表面と陰イオン交換膜１５の両者にアルカリ性環境を提供する。
【００５０】
上記のようにすることで、カソード１４、カソード液、陰イオン交換膜１５、アノード液、アノード１３の順序の積層が得られる。
このように構成された燃料電池２の筐体の外部において、アノード１３とカソード１４の間に、例えば電球等の外部機器Ｃを接続することで、発電の反応が開始され、外部機器Ｃが運転される（電球が点灯）。
【００５１】
具体的には、本実施形態に係る燃料電池２において、容器１１内の燃料液（例えばグルコース溶液）は、アノード１３において電子を放出するともに、水素イオンを生成する（酸化）。アノード１３に放出された電子は、アノード１３とカソード１４とを電気的に接続する導線１８，１９を通って、カソード１４に送られる。一方、カソード１４では、通気防水シート１６を介して容器１１の外部から酸素が供給される。そして、カソード１４表面において、容器１１の外部から供給された酸素と、アノード１３から導線１８，１９を通って送られてきた電子と、容器１１内の水とが反応して、水酸化物イオンが生成される（還元）。
【００５２】
このように生成された水酸化物イオンは、陰イオン交換膜１５を透過してアノード領域Ａへ移動する。そして、アノード領域Ａでは、カソード領域Ｂから移動してきた水酸化物イオンと、アノード１３において燃料液の酸化で発生した水素イオンとが反応して水が生成される。上記のように、アノード１３において酸化が行われるともに、カソード１４において還元が行われることで発電が行われる。
【００５３】
ここで、カソード領域Ｂにアルカリ性の電解質溶液を収容することで、カソード領域Ｂにおける還元反応を促進するとともに、発電開始時における、カソード領域Ｂから電解質膜を透過してアノード領域Ａに移動する水酸化物イオンの量を増加させることができ、燃料電池の起動速度を速めることができる。
【００５４】
この場合において、本実施形態に係る燃料電池２は、カソード１４と陰イオン交換膜１５との間に、カソード１４の表面に沿う方向において中心に向かって延在する流路２１が形成された流路部材２０を備えている。このような構成を有することで、カソード領域Ｂに収容されたアルカリ性の電解質溶液を、流路２１を介してカソード１４の表面の中心付近まで浸透させることができる。これにより、カソード１４の中心付近までアルカリ性環境として発電を促進することができ、燃料電池の発電性能を向上することができる。
【００５５】
以上のように、本実施形態に係る燃料電池２によれば、流路部材２０によって、陰イオン交換膜１５とカソード１４との間における、カソード周縁部から遠いカソード中央部にもアルカリ性の電解質溶液が供給され、カソード１４、陰イオン交換膜１５の両者に好適なアルカリ性液相環境を提供できる。
また、リング状水槽２５に貯留されたアルカリ性の電解質溶液は、カソード周縁の全方向から流入できるので、電池の姿勢差に影響されずに、上記効果が得られる。
また、流路部材２０をカソード１４及び陰イオン交換膜１５の間にそれぞれ当接させておくことでカソード１４と陰イオン交換膜１５の間に流路を確保しつつ接近させることができる。これにより、構成を容易にすることができる。
【００５６】
なお、本実施形態において、リング状水槽２５に代えて、例えば、流路部材２０の上方および下方に２箇所の水槽を設けることにより、限定的ではあるものの本実施形態と類似の効果を得ることができる。
【００５７】
また、本実施形態において、第１の実施形態に係る膜電極接合体１のようなユニットを用いずに、流路部材２０がカソード側筐体１１ｂと一体化されていても良い。このような一体化構造では、カソード１４筐体上の流路部材２０をベースとして、右側から陰イオン交換膜１５を落とし込み、左側からカソード１４を落とし込む方法で組み立てればよい。
【００５８】
［第３の実施形態］
次に、本発明の第３の実施形態に係る燃料電池３について図３を参照して説明する。
本実施形態に係る燃料電池３は、図３に示すように、第２の実施形態に係る燃料電池２において、流路部材２０に代えて、カソード１４の陰イオン交換膜１５との当接面に流路２１を形成されている。それ以外の構成は、第２の実施形態に係る燃料電池２と同様である。
【００５９】
流路２１は、カソード１４表面の複数箇所に形成された溝であり、積層構造において陰イオン交換膜１５と溝底との間に、アルカリ性の電解質溶液を流通させる流路が形成されるようになっている。
【００６０】
上記構成を有する本実施形態に係る燃料電池３によれば、第２の実施形態に係る燃料電池２と同様の構成に加えて、第２の実施形態に係る燃料電池２と比べて、流路部材２０を削減することができ、コストの低減および装置の小型化を図ることができる。
【００６１】
なお、第３の実施形態において、カソード１４の表面に溝を形成した構成を記述したが、類似の考え方で、下記の構成も適用できる。
（１）陰イオン交換膜１５とカソード１４を接合（ラミネート）する構成で、接合部位が多点配置である構造
（２）陰イオン交換膜１５の表面に多点配置のピラー構造が設けられている構造
【００６２】
［第４の実施形態］
次に、本発明の第４の実施形態に係る燃料電池について図４から図９を参照して説明する。
本実施形態に係る燃料電池は、図４に示すように、流路部材２０の形状について、複数のバリエーションを例示している。
【００６３】
図４から図９は本実施形態における流路部材２０を示しており、図４は正面方向（カソード側）からの斜視図、図５は背面方向（アノード側）からの斜視図、図６は正面図（カソード側）、図７は背面図（アノード側）、図８は図７のＡ−Ａ断面図、図９は図７のＢ−Ｂ断面図である。
【００６４】
図４から図９に示すように、本実施形態の流路部材２０における流路２１は、中心から周縁に向けて放射方向に形成された複数の流路２１と、それらと交差する同心円状の流路２１とが各面に形成されていて、これら流路の交差点において流路部材２０の板厚方向に貫通する貫通孔２２が設けられている。
【００６５】
上記構成を有する本実施形態に係る燃料電池によれば、カソード領域Ｂに収容されたアルカリ性の電解質溶液を、流路２１を介してカソード１４の表面の中心付近まで効率的に浸透させることができる。これにより、カソード１４の中心付近までアルカリ性環境として発電を促進することができ、燃料電池の発電性能を向上することができる。
【００６６】
［変形例］
次に、本発明の第４の実施形態に係る燃料電池の変形例について図１０から図１５を参照して説明する
図１０から図１５は本変形例における流路部材２０を示しており、図１０は正面方向（カソード側）からの斜視図、図１１は背面方向（アノード側）からの斜視図、図１２は正面図（カソード側）、図１３は背面図（アノード側）、図１４は図１３のＣ−Ｃ断面図、図１５は図１３のＤ−Ｄ断面図である。
【００６７】
図１０から図１５に示すように、本変形例の流路部材２０における流路２１は、縦方向に形成された複数の流路２１と、これら流路と直交する横方向に形成された複数の流路２１とが各面に形成されていて、これら流路の交差点において流路部材２０の板厚方向に貫通する貫通孔２２が設けられている。
【００６８】
上記構成を有する本変形例に係る燃料電池によれば、カソード１４と陰イオン交換膜１５との間に綿密な流路を形成することができ、カソード領域Ｂに収容されたアルカリ性の電解質溶液をカソード１４の表面の中心付近まで効率的に浸透させるとともに、カソード１４の表面に均一的にアルカリ性の電解質溶液を浸透させることができる。これにより、カソード１４の中心付近までアルカリ性環境として発電を促進することができ、燃料電池の発電性能を向上することができる。
【００６９】
以上、本発明の各実施形態について図面を参照して詳述してきたが、具体的な構成はこの実施形態に限られるものではなく、本発明の要旨を逸脱しない範囲の設計変更等も含まれる。例えば、本発明を上記の各実施形態および変形例を適宜組み合わせた実施形態に適用してもよく、特に限定されるものではない。
【００７０】
また、燃料としてグルコースを一例に挙げて説明したが、これ以外にも、単糖類、二糖類、多糖類などの糖類を使用することができる。これらの内で、単糖類としては、構成炭素数４のエリトロース、トレオース、エリトルロース、構成炭素数５のリボース、アラビノース、キシロース、リキソース、リブロース、キシルロース、構成炭素数６のグルコース、マンノース、ガラクトース、フルクトース、ソルボース、アロース、アルトロース、グロース、イドース、タロース、プシコース、タガトース、イノシトールなどが例示できる。また、二糖類としては、マルトース、ラクトース、セロビオース、サッカロースなどを使用することができる。多糖類としては、デンプン、グリコーゲン、イヌリン、セルロース、ペクチンなどを例示できる。上記例示の燃料は、単独あるいは二種類以上組み合わせて使用することができる。
【００７１】
また、各実施形態において、カソード１４を通気防水シート１６を介して容器１１の外部に連通されているとして説明したが、例えば、容器１１の壁体の少なくとも一部を通気性および防水性を有する材料で構成することとしてもよい。
【符号の説明】
【００７２】
Ａ  アノード領域
Ｂ  カソード領域
Ｃ  外部機器
１  膜電極接合体
２，３  燃料電池
１１  容器
１３  アノード
１４  カソード
１５  陰イオン交換膜
１６  通気防水シート
２０  流路部材
２１  流路
２２  貫通孔
２５  リング状水槽（貯留槽）
【図１】
2013105577.tif 000003
【図２】
2013105577.tif 000004
【図３】
2013105577.tif 000005
【図４】
2013105577.tif 000006
【図５】
2013105577.tif 000007
【図６】
2013105577.tif 000008
【図７】
2013105577.tif 000009
【図８】
2013105577.tif 000010
【図９】
2013105577.tif 000011
【図１０】
2013105577.tif 000012
【図１１】
2013105577.tif 000013
【図１２】
2013105577.tif 000014
【図１３】
2013105577.tif 000015
【図１４】
2013105577.tif 000016
【図１５】
2013105577.tif 000017